(57)【要約】    【課題】  簡単な構造で端子具を高圧コードに容易且つ確実に固定でき、製作、組立て等が容易でコストアップを防止できると共に、組立て後の位置ズレ、変形等を防止でき、しかも引張強度も向上する高圧コード装置を提供する。    【解決手段】  高圧コード３の一端側の外方近傍に配置され且つ点火プラグ１のプラグ端子６に嵌脱自在に嵌合するコイル部５と、コイル部５の一端側から高圧コード３側に延出された延出部８と、延出部８の先端から高圧コード３内に挿入されてその内部の導芯１５と接触する挿入部９とを有する端子具４を備え、端子具４と共に高圧コード３の一端側を内側に保持し且つコイル部５がプラグ端子６に接続すべく点火プラグ１に着脱自在に装着されるプラグキャップ２を備え、挿入部９の延出部８と反対側に、延出部８との間で高圧コード３を直径方向の両側から挟む曲げ部１３を設ける。【選択図】    図１
2005146907.tif 000002
【特許請求の範囲】
【請求項１】
高圧コード（３）の一端側の外方近傍に配置され且つ点火プラグ１のプラグ端子（６）に嵌脱自在に嵌合するコイル部（５）と、該コイル部（５）の一端側から前記高圧コード（３）側に延出された延出部（８）と、該延出部（８）の先端から高圧コード（３）内に挿入されてその内部の導芯（１５）と接触する挿入部（９）とを有する端子具（４）を備え、該端子具（４）と共に前記高圧コード（３）の一端側を内側に保持し且つ前記コイル部（５）が前記プラグ端子（６）に接続すべく前記点火プラグ（１）に着脱自在に装着されるプラグキャップ（２）を備えた高圧コード装置において、前記挿入部（９）の前記延出部（８）と反対側に、前記延出部（８）との間で前記高圧コード（３）を直径方向の両側から挟む曲げ部（１３）を設けたことを特徴とする高圧コード装置。
【請求項２】
前記挿入部（９）を前記高圧コード（３）に圧入し、前記曲げ部（１３）を加締めにより形成したことを特徴とする請求項１に記載の高圧コード装置。
【請求項３】
前記延出部（８）の前記挿入部（９）側近傍及び前記曲げ部（１３）の少なくとも前記高圧コード（３）に面した側が該高圧コード（３）の絶縁外皮層（７）内に食い込んでいることを特徴とする請求項１又は２に記載の高圧コード装置。
【請求項４】
前記挿入部（９）の先端部分が先鋭状又は先細り状であり、該先鋭状又は先細り状の先端部分を前記挿入部（９）に対して前記延出部（８）と同じ側に屈曲させて前記曲げ部（１３）を形成したことを特徴とする請求項１〜３の何れかに記載の高圧コード装置。
【請求項５】
前記端子具（４）は、前記コイル部（５）、前記延出部（８）、前記挿入部（９）及び前記曲げ部（１３）を弾性線材により一体に形成したものであることを特徴とする請求項１〜３の何れかに記載の高圧コード装置。
【発明の詳細な説明】
【技術分野】
【０００１】
本発明は、点火コイルユニットと内燃機関の点火プラグとを接続する際に使用する高圧コード装置に関するものである。
【背景技術】
【０００２】
高圧コード装置には、従来、図７に示すように、点火プラグ１に着脱自在なプラグキャップ２内に、高圧コード３の一端側に装着された端子具４を保持しておき、このプラグキャップ２を点火プラグ１に装着して、その内部の端子具４のコイル部５を点火プラグ１のプラグ端子６に外周側から電気的に接続するようになっている（特許文献１）。
【０００３】
高圧コード３は絶縁外皮層７と、その内部の導芯１５とにより構成されている。端子具４は、高圧コード３の一端側の外方近傍に配置されたコイル部５と、このコイル部５の一端側から高圧コード３側に延出された延出部８と、この延出部８の先端から高圧コード３内に圧入等により挿入されてその内部の導芯１５と接触する挿入部９とを有し、適当な線径の断面円形状の弾性線材により一体に加工されている。挿入部９は、高圧コード３に圧入等により挿入したときに、その先端が高圧コード３の反対側に突出しないように、高圧コード３の直径よりも短くなっている。
【０００４】
プラグキャップ２は、内端側に端子具４のコイル部５を保持するコイル保持部１０が形成され且つ点火プラグ１に套嵌されるキャップ部１１と、高圧コード３の一端部分を水密状に保持するコード保持部１２とを備え、一般にゴム、その他の弾性材料により一体に形成されている。
【０００５】
なお、端子具４には、図８（Ａ）に示すようにコイル部５の一端側に１本の延出部８を設け、この延出部８の先端に挿入部９を設けたシングル型の他に、図８（Ｂ）に示すようにコイル部５の両端側に、高圧コード３を直径方向の両側から挟む程度の間隔を置いて長さの異なる２本の延出部８を設け、この各延出部８の先端に、高圧コード３に圧入する挿入部９を夫々設けたダブル型がある。
【特許文献１】特開２００１−３１３１４７号公報
【発明の開示】
【発明が解決しようとする課題】
【０００６】
この種の高圧コード装置は、高圧コード３の一端側に端子具４を装着しておき、その後にコイル部５がキャップ部１１内のコイル保持部１０の所定位置に収まるように、端子具４をプラグキャップ２内に挿入して組み立てる。その場合に、端子具４のコイル部５をコード保持部１２側からプラグキャップ２内に挿入する方法と、高圧コード３の先端をキャップ部１１からコード保持部１２へと挿入して、コード保持部１２から出た高圧コード３を引張りながら端子具４をキャップ部１１内に収める方法とがある。
【０００７】
しかし、従来の端子具４の取り付け構造では、次のような問題点がある。即ち、シングル型の場合には、１個の挿入部９で端子具４を高圧コード３に取り付けているので、端子具４を高圧コード３に確実且つ強固に固定することができない。このため組立てに際して端子具４をそのコイル部５側からコード保持部１２に挿入する場合には、挿入部９を支点に端子金具が高圧コード３に対して左右に揺れて、その挿入が非常に困難である。また高圧コード３をキャップ部１１の開口側からコード保持部１２に通して引っ張り込むとしても、キャップ部１１の深さが深い場合にはプラグキャップ２による抵抗が非常に大きく、挿入部９が高圧コード３から抜ける惧れがある。
【０００８】
更に端子具４をプラグキャップ２内に組み込んだとしても、１個の短い挿入部９で端子具４を高圧コード３に止めているため、高圧コード３と端子具４とがズレ易く、キャップ部１１内でコイル部５が適正位置で安定せず、コイル部５が位置ズレしたままの状態で点火プラグ１に装着したときに、その外力によってコイル部５が変形する惧れがあり、また大きな外力が加われば、比較的簡単に高圧コード３が端子具４から外れて抜けるという問題もある。
【０００９】
ダブル型の端子具４では、高圧コード３に対する端子具４のズレ、端子具４からの高圧コード３の抜け等を比較的容易に防止できるが、シングル型に比較して端子具４の製作コストが高くなると共に、プラグキャップ２に対する挿入時に２本の延出部８が邪魔になって組立てが煩わしく、しかも高圧コード３に対する端子具４の取り付け作業の自動化が困難になる等の欠点がある。
【００１０】
本発明は、かかる従来の課題に鑑み、簡単な構造で端子具を高圧コードに容易且つ確実に固定でき、製作、組立て等が容易でコストアップを防止できると共に、組立て後の位置ズレ、変形等を防止でき、しかも引張強度も向上する高圧コード装置を提供することを目的とする。
【課題を解決するための手段】
【００１１】
本発明は、高圧コード３の一端側の外方近傍に配置され且つ点火プラグ１のプラグ端子６に嵌脱自在に嵌合するコイル部５と、該コイル部５の一端側から高圧コード３側に延出された延出部８と、該延出部８の先端から高圧コード３内に挿入されてその内部の導芯１５と接触する挿入部９とを有する端子具４を備え、該端子具４と共に高圧コード３の一端側を内側に保持し且つコイル部５がプラグ端子６に接続すべく点火プラグ１に着脱自在に装着されるプラグキャップ２を備えた高圧コード装置において、挿入部９の延出部８と反対側に、延出部８との間で高圧コード３を直径方向の両側から挟む曲げ部１３を設けたものである。
【００１２】
挿入部９は高圧コード３に圧入し、曲げ部１３を加締めにより形成することが望ましい。また延出部８の挿入部９側近傍及び曲げ部１３の少なくとも高圧コード３に面した側は、該高圧コード３の絶縁外皮層７内に食い込ませることが望ましい。挿入部９の先端部分が先鋭状又は先細り状であり、該先鋭状又は先細り状の先端部分を挿入部９に対して延出部８と同じ側に屈曲させて曲げ部１３を形成しても良い。端子具４は、コイル部５、延出部８、挿入部９及び曲げ部１３を弾性線材により一体に形成することが望ましい。
【発明の効果】
【００１３】
本発明によれば、簡単な構造で端子具４を高圧コード３に対して容易且つ確実に固定でき、端子具４の取り付け作業の自動化が容易である等、製作、組立て等が容易でコストアップを極力防止できると共に、組立て後のプラグキャップ２内でのコイル部５の位置ズレ、その位置ズレに伴うコイル部５の変形等を防止でき、しかも高圧コード３が端子具４から外れ難く高圧コード３の引張強度も向上する。
【発明を実施するための最良の形態】
【００１４】
以下、本発明の各実施例を図面に基づいて詳述する。なお、従来と同一の名称物については同一の符号を付して、その説明を省略する。図１〜図４は本発明の第１の実施例を例示する。
【００１５】
この高圧コード装置は、図１、図２に示すように、高圧コード３の一端側の外方近傍に配置され且つ点火プラグ１のプラグ端子６に嵌脱自在に嵌合するコイル部５と、このコイル部５の一端側から高圧コード３側に延出された延出部８と、この延出部８の先端から高圧コード３内に挿入され且つその内部の導芯１５と接触する挿入部９とを有する端子具４を備えると共に、この端子具４と共に高圧コード３の一端側を内側に保持し且つコイル部５がプラグ端子６に接続すべく点火プラグ１に着脱自在に装着されるプラグキャップ２を備え、挿入部９の延出部８と反対側に、延出部８との間で高圧コード３を直径方向の両側から挟む曲げ部１３が設けられている。
【００１６】
端子具４は、図３に示すようにコイル部５、延出部８、挿入部９及び曲げ部１３を弾性線材により一体に形成したものである。コイル部５は弾性線材を螺旋状に数回程度巻回してなり、このコイル部５の一端側に、コイル部５に対して略直径方向の外方に突出する延出部８が設けられている。なお、延出部８は、高圧コード３の長手方向に沿って略平行になっている。
【００１７】
端子具４の挿入部９は、延出部８の先端から高圧コード３側へと略直角方向、又はそれに近い状態に屈曲しており、取り付け前の状態では、この挿入部９から曲げ部１３側が図３に示すように、高圧コード３の直径Ｄ（図２（Ａ）参照）よりも長い長さＬで略真っ直ぐに延びて、曲げ部１３となる先端部分が先鋭状又は先細り状になっている。
【００１８】
延出部８の挿入部９側近傍及び曲げ部１３の少なくとも高圧コード３に面した側が該高圧コード３の絶縁外皮層７内に食い込んでいる。なお、この実施例では、延出部８はその高圧コード３に対応する部分の略全長がその径方向の一部又は前部が絶縁外皮層７内に食い込んでおり、また曲げ部１３は一部が絶縁外皮層７の外周面と略面一又は外周面から若干突出する程度に挿入部９側近傍及び曲げ部１３の少なくとも高圧コード３に面した側が該高圧コード３の絶縁外皮層７内に食い込んでいる。
【００１９】
なお、弾性線材をニッパー、その他の工具で斜めに切断して、先端部分を先鋭状又は先細り状に形成する場合には、図４（Ａ）に示すようにその線材の曲げ方向側が長くなるように切断することが望ましい。勿論、図４（Ｂ）に示すように線材の曲げ方向と反対側が長くなるように切断しても良い。
【００２０】
端子具４は、取り付け前の状態では、図３に示すように挿入部９から曲げ部１３側が略真っ直ぐに延びており、その長さが高圧コード３の直径よりも長くなっている。従って、従来のシングル型の端子具４に比較して、挿入部９から先端までの長さが若干長くなる程度であって、端子具４自体の形状、構造を大きく変更する必要がないので、端子具４を容易且つ安価に製作できる。
【００２１】
端子具４を高圧コード３に取り付ける際に、例えば加締め機能を備えた自動機等を使用して、端子具４の挿入部９の先端部分を高圧コード３に当てた状態で保持した後、加圧具により延出部８側から挿入部９を高圧コード３側へと加圧して高圧コード３に圧入して行く。
【００２２】
そして、高圧コード３を貫通して反対側に出る先端部分を受け具で受けて、その先端部分を挿入部９に対して延出部８と同じ側へと折り曲げながら加締めて曲げ部１３を形成する。このとき受け具の受け面の形状に沿って先端側の先鋭状又は先細り状部分を案内し、その先端を高圧コード３の絶縁外皮層７側へと食い込ませる。また加圧具と受け具との相対ストローク、加圧力等を適宜設定して、延出部８の挿入部９側近傍及び曲げ部１３の少なくとも高圧コード３に面した側を絶縁外皮層７内に食い込ませる。
【００２３】
このようにして挿入部９の延出部８と反対側に、延出部８との間で高圧コード３を直径方向の両側から挟む曲げ部１３を設けることによって、簡単な構造で端子具４を高圧コード３に対して容易且つ確実に固定でき、端子具４の取り付け作業の自動化が容易である等、製作、組立て等が容易でコストアップを極力防止できると共に、組立て後のキャップ部１１内でのコイル部５の位置ズレ、その位置ズレに伴うコイル部５の変形等を防止でき、しかも高圧コード３が端子具４から外れ難く高圧コード３の引張強度も向上する。
【００２４】
特に挿入部９を高圧コード３に圧入して曲げ部１３を加締めにより形成することによって、端子具４をより簡単な作業でより確実に固定できる。また延出部８の挿入部９側近傍及び曲げ部１３の少なくとも高圧コード３に面した側が、高圧コード３の絶縁外皮層７内に食い込んでいるため、端子具４の延出部８と曲げ部１３とによって直径方向の両側から高圧コード３を確実に挟持でき、高圧コード３に対して端子具４を更に強固に固定できる。
【００２５】
挿入部９の先端部分が先鋭状又は先細り状であり、この先鋭状又は先細り状の先端部分を挿入部９に対して延出部８と同じ側に屈曲させて曲げ部１３を形成しているため、曲げ部１３の形成が容易であり、比較的小さい加締め力で加締めることができる。しかも弾性線材を斜めに切断して、先端部分を先鋭状又は先細り状に形成する場合には、その線材の曲げ方向側が長くなるように切断しておけば、先端部分の加締めによる曲げ加工が非常に容易であり、またその加締めにより先端が高圧コード３の絶縁外皮層７内に食い込み易くなり、その後の取り扱い時に先鋭状又は先細り状の先端部分によって怪我をする等の惧れも少なくできる。
【００２６】
図５は本発明の第２の実施例を例示する。この実施例では、挿入部９の先端側にＪ字状に湾曲する曲げ部１３が形成され、その曲げ部１３の先端側が導芯１５側に向かって食い込んでいる。この場合には、挿入部９の先端側を加締める際に、挿入部９に対して延出部８と同じ側に折り曲げながら、先端を高圧コード３側に向けて案内することにより、曲げ部１３を高圧コード３に食い込ませて行く。これによって端子具４の高圧コード３に対する固定が更に確実になる。
【００２７】
図６は本発明の第３の実施例を例示する。この実施例では、挿入部９の先端側に、高圧コード３の長手方向と略平行な曲げ部１３が形成され、この曲げ部１３の先端に、高圧コード３側に食い込む食い込み部１４が形成されている。なお、延出部８、曲げ部１３も絶縁外皮層７に一部が食い込んでいる。この場合には、挿入部９まで高圧コード３に圧入した後、食い込み部１４を折り曲げ、次いで曲げ部１３を折り曲げながら加締めて、食い込み部１４を高圧コード３に食い込ませて行く。これによって端子具４の高圧コード３に対する固定が更に確実になる。
【００２８】
以上、発明の実施例について詳述したが、本発明はこの実施例に限定されるものではなく、その趣旨を逸脱しない範囲内で種々の変更が可能である。例えば実施例では、挿入部９の延出部８と反対側に曲げ部１３を形成して、延出部８と曲げ部１３との間で高圧コード３を直径方向の両側から挟むに当たって、挿入部９を圧入して加締める圧入加締め方式を採用しているが、高圧コード３にあけた孔に挿入部９を挿入した後、その突出端を他の工具等で延出部８と同一側へと折り曲げて曲げ部１３を形成する等、実施例以外の方式を採用しても良い。
【００２９】
また延出部８の挿入部９側近傍及び曲げ部１３の高圧コード３に面した側が高圧コード３の絶縁外皮層７内に食い込むようにすれば、端子具４の高圧コード３に対する固定を確実にでき、その食い込み量が大きくなればなるほど、端子具４をより確実に固定できる。曲げ部１３は先鋭状又は先細り状の先端部分の折り曲げによって形成しても良いし、先鋭状又は先細り状を一部に含む範囲で線材を折り曲げて形成しても良い。
【００３０】
延出部８と挿入部９、挿入部９と曲げ部１３の夫々曲げ角度は略直角である必要はなく、円弧状に湾曲して折り曲げても良い。実施例では、延出部８から先端側を挿入部９として、この挿入部９を高圧コード３に圧入により挿入しているが、例えば高圧コード３にピン等で挿通孔を形成しておき、その挿通孔に延出部８から先端側の部分を挿入した後、その先端を折り曲げて曲げ部１３を形成しても良い。従って、延出部８から先端側の挿入部９は、少なくとも高圧コード３に挿入可能な部分であれば十分である。なお、この場合には、曲げ部１３は先鋭状又は先細り状に形成しておく必要はない。また各実施例では、何れも挿入部９が導芯１５に対して略直角に横切るように挿入しているが、必ずしも挿入部９が導芯１５と接触し、且つ延出部８と反対側の先端に曲げ部１３を設けることができるならば、挿入部９が導芯１５に対してく字状に横切る構造でも良い。
【図面の簡単な説明】
【００３１】
【図１】本発明の第１の実施例を示す高圧コード装置の断面図である。
【図２】（Ａ）は本発明の第１の実施例を示す高圧コード、端子具の断面図、（Ｂ）はその平面図、（Ｃ）はその底面図である。
【図３】本発明の第１の実施例を示す端子具の正面図である。
【図４】（Ａ）（Ｂ）は本発明の第１の実施例を示す端子具の先端側の正面図である。
【図５】本発明の第２の実施例を示す高圧コード、端子具の断面図である。
【図６】本発明の第３の実施例を示す高圧コード、端子具の断面図である。
【図７】従来の高圧コード装置の断面図である。
【図８】（Ａ）（Ｂ）は従来の端子具の斜視図である。
【符号の説明】
【００３２】
１  点火プラグ
２  プラグキャップ
３  高圧コード
５  コイル部
６  プラグ端子
７  絶縁外皮層
８  延出部
９  挿入部
１３  曲げ部
１５  導芯
【図１】
2005146907.tif 000003
【図２】
2005146907.tif 000004
【図３】
2005146907.tif 000005
【図４】
2005146907.tif 000006
【図５】
2005146907.tif 000007
【図６】
2005146907.tif 000008
【図７】
2005146907.tif 000009
【図８】
2005146907.tif 000010
【手続補正書】
【提出日】平成15年11月19日(2003.11.19)
【手続補正１】
【補正対象書類名】図面
【補正対象項目名】図８
【補正方法】変更
【補正の内容】
【図８】
2005146907.tif 000011